(57)【要約】  検査用光源１０は、基板１１と、第１電極１２と、第１電極１２と対をなす第２電極１４と、第１電極１２と第２電極１４との間に配置された有機発光層１３とを有する面状発光体１を備える。有機発光層１３は、複数の発光材料を有する。面状発光体１の照射光の色度は、１０倍拡大のマクアダム楕円を有するｘｙ色度図において、面積が５×１０−４より小さいマクアダム楕円の中心を結んで形成される領域内に含まれる。
2015136848.tif 000002
【特許請求の範囲】
【請求項１】
基板と、第１電極と、前記第１電極と対をなす第２電極と、前記第１電極と前記第２電極との間に配置された有機発光層と、を有する面状発光体を備え、
前記有機発光層は、複数の発光材料を有し、
前記面状発光体の照射光の色度は、１０倍拡大のマクアダム楕円を有するｘｙ色度図において、面積が５×１０−４より小さいマクアダム楕円の中心を結んで形成される領域内に含まれる、検査用光源。
【請求項２】
前記複数の発光材料の少なくとも一つは、青色発光材料である、請求項１に記載の検査用光源。
【請求項３】
前記領域を形成する前記マクアダム楕円の長軸と前記ｘｙ色度図のｘ軸との間の角度は、０度より大きく９０度より小さい、請求項１又は２に記載の検査用光源。
【請求項４】
前記領域を形成する前記マクアダム楕円の長軸と前記ｘｙ色度図のｘ軸との間の角度は、７０度より大きく１２０度より小さい、請求項１又は２に記載の検査用光源。
【請求項５】
前記面状発光体の発光面は曲面を含む、請求項１〜４のいずれか１項に記載の検査用光源。
【請求項６】
前記基板はフレキシブル基板である、請求項５に記載の検査用光源。
【請求項７】
前記面状発光体は、前記基板の表面に垂直な方向において光透過性を有し、
前記面状発光体における検査対象物の方向への前記照射光は、前記検査対象物とは反対方向への光よりも強い、請求項１〜６のいずれか１項に記載の検査用光源。
【請求項８】
前記面状発光体とは異なる色度の照射光を有する追加発光体と、
前記追加発光体の前記照射光の強度を変化させる光強度可変部と、を備える、請求項１〜７のいずれか１項に記載の検査用光源。
【請求項９】
前記面状発光体の前記照射光を集光可能なレンズを備える、請求項１〜８のいずれか１項に記載の検査用光源。
【請求項１０】
前記面状発光体に電気的に接続された給電回路と、
前記給電回路を通して前記面状発光体に電気を供給する内部電源と、を備える、請求項１〜９のいずれか１項に記載の検査用光源。
【請求項１１】
請求項１〜１０のいずれか１項に記載の検査用光源と、筐体とを備えた検査器具。
【発明の詳細な説明】
【技術分野】
【０００１】
本発明は、検査用光源及びそれを備えた検査器具に関する。より詳細には、有機発光層を有する面状発光体を備えた検査用光源及び検査器具に関する。
【背景技術】
【０００２】
従来、製品検査などにおいて目視で異物などが発見しやすくなるように照射光が調整された光源が知られている。例えば、ナトリウムランプは単色光を発生し、干渉縞によって欠陥の検出が可能である。また、高演色性（例えばＲａ９８）の光源は、異物混入の目視検査用の光源として開発されている。【０００３】
有機エレクトロルミネッセンス素子（以下「有機ＥＬ素子」ともいう）を検査用の光源に利用することも提案されている。例えば、日本国特許公表第２００６−５０７４９４号（以下「特許文献１」という）は、有機ＥＬ素子を利用した測定装置用の光源を開示している。有機ＥＬ素子を利用した光源は、従来の光源に比べて薄型化及び軽量化が可能である。そのため、有機ＥＬ素子は、取り扱い性に優れた検査用光源となり得る。【０００４】
検査用光源では、異物などの目的とする検査対象が目視でより鮮明に判別できることが重要である。しかしながら、特許文献１に開示された有機ＥＬ素子を有する光源では、目視における判別性が十分とは言えなかった。
【発明の概要】
【０００５】
本発明は、目視判別性に優れた検査用光源及び検査器具を提供することを目的とする。
【０００６】
本開示に係る検査用光源は、基板と、第１電極と、前記第１電極と対をなす第２電極と、前記第１電極と前記第２電極との間に配置された有機発光層と、を有する面状発光体を備える。前記有機発光層は、複数の発光材料を有する。前記面状発光体の照射光の色度は、１０倍拡大のマクアダム楕円を有するｘｙ色度図において、面積が５×１０−４より小さいマクアダム楕円の中心を結んで形成される領域内に含まれる。
【０００７】
本開示に係る検査器具は、上記の検査用光源と、筐体とを備える。
【０００８】
本発明によれば、照射光によって色の違いが明瞭になるため、目視判別性が向上する。
【図面の簡単な説明】
【０００９】
【図１】色度図における照射光の色度範囲の一例である。
【図２】図２は図２Ａ及び図２Ｂから構成される。図２Ａは検査用光源の一例を示す模式図である。図２Ｂは面状発光体の一例を示す一部の拡大断面図である。
【図３】図３は図３Ａ及び図３Ｂから構成される。図３Ａはマクアダム楕円を有する色度図である。図３Ｂはマクアダム楕円の説明図である。
【図４】色度図における照射光の色度範囲の一例である。
【図５】色度図における照射光の色度範囲の一例である。
【図６】マクアダム楕円の中心を有する色度図である。
【図７】図７は図７Ａ〜図７Ｆから構成される。図７Ａ〜図７Ｆは、色度図における照射光の色度範囲の各一例である。
【図８】図８は図８Ａ〜図８Ｅから構成される。図８Ａ〜図８Ｅは、色度図における照射光の色度範囲の各一例である。
【図９】図９は図９Ａ及び図９Ｂから構成される。図９Ａは検査用光源を用いた検査の一例を示す説明図である。図９Ｂは検査用光源を用いた検査の一例を示す説明図である。
【図１０】図１０は図１０Ａ、図１０Ｂ及び図１０Ｃから構成される。図１０Ａは検査用光源を用いた検査の一例を示す説明図である。図１０Ｂは検査用光源を用いた検査の一例を示す説明図である。図１０Ｃは検査用光源を用いた検査の一例を示す説明図である。
【図１１】検査用光源を用いた検査の一例を示す説明図である。
【図１２】検査器具の一例を示す模式図である。
【発明を実施するための形態】
【００１０】
本開示の検査用光源は面状発光体１を備える（図２参照）。面状発光体１は、基板１１と、第１電極１２と、第１電極１２と対をなす第２電極１４と、第１電極１２と第２電極１４との間に配置された有機発光層１３とを有する。有機発光層１３は、複数の発光材料を有する。面状発光体１の照射光の色度は、１０倍拡大のマクアダム楕円を有するｘｙ色度図において、面積が５×１０−４以下のマクアダム楕円の中心を結んで形成される領域内に含まれる。本開示の検査用光源では、照射光によって色の違いが明瞭になる。その結果、目視判別性が向上する。
【００１１】
図１は、マクアダム楕円を有する色度図における面状発光体１の照射光の範囲を示している。面状発光体１は、図１で示される領域Ａ１内の色度の照射光を有する。
【００１２】
図２は検査用光源の一例（検査用光源１０）を示している。図２は図２Ａ及び図２Ｂから構成される。図２Ａは検査用光源１０の全体構成を示している。図２Ｂは、図２Ａの検査用光源１０に含まれる面状発光体１の一例を示している。検査用光源１０は面状発光体１を有する。図２は模式的な図であり、層の厚みなど各部位の実際のサイズ等はこの図と異なるものであってよい。図２Ａでは、面状発光体１の内部の有機発光層１３を破線で示している。白抜き矢印は光の出射方向を意味する。図２Ｂでは、面状発光体１の断面の拡大図を示している。
【００１３】
図２Ｂに示すように、面状発光体１は、基板１１と第１電極１２と有機発光層１３と第２電極１４とを有している。この面状発光体１は封止材１５をさらに有している。面状発光体１は、有機エレクトロルミネッセンス素子（有機ＥＬ素子）を含む。有機ＥＬ素子は、第１電極１２と有機発光層１３と第２電極１４とを有し、電流により発光が可能な素子である。面状発光体１は、有機ＥＬ素子と電気接続部とを含んでもよい。電気接続部は封止領域の外部に配置される。電気接続部は有機ＥＬ素子の電極に電気を供給する機能を有する。有機ＥＬ素子は、薄型で軽量な面状発光体１を形成する。
【００１４】
面状発光体１が有機ＥＬ素子を含むことにより、面状に均一性の高い光が効率よく得られる。有機ＥＬ素子ではないＬＥＤが光源に用いられた場合、ＬＥＤは点光源であるため、発光の均一化のために、導光板、拡散板、散乱材料などによって光を面状化することが求められる。点光源のＬＥＤが面状化された発光体は、検査用の光源として使用可能ではあるが、各種部材での光の吸収損失が発生したり、光取り出し効率が低下したりすることにより、発光効率が極端に低下する。そのため、発光均一性に優れた面光源として有機ＥＬ素子が有効である。また、有機ＥＬ素子の光は影ができにくいという利点がある。
【００１５】
基板１１は、有機ＥＬ素子の各層を支持する機能を有し得る。基板１１は支持基板となり得る。基板１１としては、ガラス基板、樹脂基板などが例示される。ガラス基板は、水分の浸入を抑制でき、封止性を高めることができる。樹脂基板は無機膜を有することが好ましい。無機膜は、水分の浸入を抑制し、封止性を高めることができる。樹脂基板ではフレキシブル性を容易に付与できる。基板１１は光透過性を有することが好ましい。光透過性は透明及び半透明を含む。
【００１６】
第１電極１２と第２電極１４とは、対となる電極である。これら２つの電極は、一方が陽極となり、他方が陰極となる。第１電極１２と第２電極１４との間に電気が流れることにより、有機発光層１３で発光が生じる。２つの電極は、好ましくは電源との接続が可能なように配線が封止領域よりも外側に引き出される。第１電極１２は、２つの電極のうちの基板１１に近い電極と定義される。２つの電極のうち少なくとも一方は光透過性を有することが好ましい。光透過性は透明及び半透明を含む。光透過性を有する電極は、発光面側の電極になり得る。第１電極１２が好ましくは光透過性を有する。２つの電極の両方が光透過性を有していてもよい。２つの電極の両方が光透過性を有すると、面状発光体１に光透過性を付与することができる。第１電極１２が陽極となり、第２電極１４が陰極となることが好ましい態様の一つである。
【００１７】
有機発光層１３は、第１電極１２と第２電極１４との間に配置される。有機発光層１３は、電気の流れにより発光を生じる機能を有する。有機発光層１３は、発光材料を含有する層（発光材料含有層）を有する。発光材料は、いわゆるドーパントであってよい。有機発光層１３は、複数の層で構成され得る。有機発光層１３は、好ましくは電荷を移動させる層（電荷移動層）を含む。電荷移動層は、ホール注入層、ホール輸送層、電子注入層、電子輸送層を含み得る。また、マルチユニット構造の場合、電荷移動層は中間層を含み得る。
【００１８】
有機発光層１３の層構成は、特に限定されない。図２Ｂは、層構成の一例である。図２Ｂの例では、有機発光層１３は、第１電荷移動層３１と第１発光材料含有層３２と第２発光材料含有層３３と第２電荷移動層３４とを有する。有機発光層１３は有機物を含む複数の層から構成され得る。複数の層のうちの発光材料を含有する層から光が生じる。発光材料含有層の陽極側には、例えば、ホール輸送層及びホール注入層の一方又は両方が配置される。発光材料含有層の陰極側には、例えば、電子輸送層及び電子注入層の一方又は両方が配置される。第１電極１２が陽極で第２電極１４が陰極の場合、第１電荷移動層３１はホール注入層及びホール輸送層の一方又は両方を含むことができ、第２電荷移動層３４は電子輸送層及び電子注入層の一方又は両方を含むことができる。もちろん、図２Ｂの層構成に限定されず、例えば、有機発光層１３は、マルチユニット構造を有していてもよい。マルチユニット構造は発光ユニットを複数有する。図２Ｂの層構成を変形させたマルチユニット構造では、第１発光材料含有層３２と第２発光材料含有層３３との間に、中間層を含む電荷移動層が配置され得る。
【００１９】
有機発光層１３は、通常、封止される。封止により、有機発光層１３は外部から保護される。図２Ｂでは、封止構造の一例が示されている。図２Ｂの例では、有機発光層１３は、封止材１５と基板１１との間に配置されることで、封止されている。封止材１５は板状の材料で構成され得る。例えば、基板１１と同じ基板で封止材１５を構成できる。封止材１５は封止基板で構成され得る。封止材１５は光透過性を有することが好ましい。光透過性は透明及び半透明を含む。図２Ｂの例は、封止材１５と第２電極１４との間に間隙１６を有する。この間隙１６は空洞でもよいし、充填材が配置されてもよい。
【００２０】
面状発光体１はボトムエミッション構造であることが好ましい一態様である。ボトムエミッション構造は支持基板から光が出射する構造である。面状発光体１はトップエミッション構造であることが好ましい他の一態様である。トップエミッション構造は支持基板とは反対側から光が出射する構造である。面状発光体１は、両面光出射構造であることが好ましい他の一態様である。
【００２１】
図２Ａの検査用光源１０は、面状発光体１と給電回路２とを有する。このように、検査用光源１０は、面状発光体１に電気的に接続された給電回路２を備えることが好ましい。図２Ａの給電回路２は、配線２Ａと集積部２Ｂとを有している。配線２Ａは面状発光体１の電極と電気的に接続されている。そのため、配線２Ａを通して面状発光体１に給電が可能である。集積部２Ｂは、給電を容易にするために配線２Ａを集積した部分である。集積部２Ｂは端子を有していてもよい。集積部２Ｂはプラグを有していてもよい。集積部２Ｂは配線４と接続されている。集積部２Ｂは、配線４を通して電源３と接続されている。電源３からの電気は配線を通して、面状発光体１に流れる。
【００２２】
電源３は、外部電源であってもよいし、内部電源であってもよい。外部電源は、配線差込口を介して接続される電源を意味する。内部電源は、検査用光源１０の内部に組み込まれる電源を意味する。検査用光源１０は、給電回路２を通して面状発光体１に電気を供給する内部電源を備えることが好ましい一態様である。それにより、検査用光源１０の取り扱い性が向上する。内部電源の例として、電池、二次電池、充電池などが挙げられる。また、検査用光源１０は、外部電源からの給電と内部電源からの給電とが切り替え可能であってもよい。この場合、停電時など外部電源からの給電がストップしたときには、内部電源からの給電に切り替わることができるため、検査の安全性が向上する。もちろん、検査用光源１０は内部電源を有していなくてもよい。
【００２３】
図２Ａでは、基板１１側から光が出射する構造となっている。検査用光源１０から出射した光が検査の対象物に照射される。対象物に向かって照射された光は、対象物に到達したときに、反射、吸収及び透過し得る。そして、照射光に照らされた対象物は、色を発する。この色を目視で判断することで、検査が行われる。そして、本開示の検査用光源では、照射光の色度が色度図における特定の領域内に入ることで、色の判断が容易になる。
【００２４】
図３Ａは、マクアダム楕円を有する色度図を示している。図３Ｂはマクアダム楕円の説明図を示している。図３は図３Ａ及び図３Ｂから構成される。色度図は、一般に、カラー表示されることが多いが、この色度図では、色を省略して記載している。この色度図は、ＣＩＥ−ＸＹＺ表示系である。この色度図は、ｘｙ色度図と呼ばれる。色度図は、色空間の技術分野でよく知られており、色が省略されていても、色の配置は容易に理解できるであろう。以降の図に示された色度図においても、色は省略されている。なお、色度図は、特に断りのない限り、ｘｙ色度図を表す。
【００２５】
図３Ａにより、ｘｙ色度図におけるマクアダム楕円（Ｍａｃ  Ａｄａｍ楕円）の配置が理解される。図３Ａの色度図は、ＣＩＥ１９３１のｘｙ色度図である。色度図においては、色はｘ値及びｙ値により２次元的に表される。照射光の色度もｘ値及びｙ値で規定される。ｘ及びｙは色度座標を構成する。色度図により表される色の範囲は、図３Ａの太線で囲まれた範囲である。この範囲は、左斜め上に傾斜して上方に突出し、上方へ延びる二辺が曲線となった丸みのある三角形状になっている。色度図では、色度座標が上方になるほど緑が濃くなり、左下になるほど青が濃くなり、右下になるほど赤が濃くなる。曲線の近傍にこの曲線に沿って記載された４５０から６５０までの数値は、光の波長である。光の波長の単位はｎｍである。白色は、三角形の中心付近のやや右寄り（ＭＥ１３の近辺）に配置される。図３Ａは、マクアダム楕円を１０倍に拡大して表示している。このような１０倍拡大したマクアダム楕円もよく知られている。
【００２６】
マクアダム楕円は、視覚の等色実験から導き出されたもので、特定の中心色に対する識別変動の標準偏差をｘｙ色度図に表したものである。マクアダム楕円は、マクアダム（Ｍａｃ  Ａｄａｍ）により提唱された。図３Ａに示すように、マクアダム楕円は２５個存在する。マクアダム楕円の中心の色と他の色とを比較したときに、他の色が同じマクアダム楕円の範囲内であれば、人間工学的に同じ色であると感じる。すなわち、マクアダム楕円の範囲内の色は、同色と感じるため、色の判別がつきにくい。マクアダム楕円は等色範囲の代表例であるといってもよい。ここで、図３Ａから分かるように、色度図のマクアダム楕円は不均等な大きさを有している。色度図の上方ではマクアダム楕円は大きく、色度座標が違っても色の違いがつきにくい。一方、色度図の左下方ではマクアダム楕円は小さく、色度座標のわずかな差でも識別可能である。マクアダム楕円の等色性はマクアダム楕円の中心以外の色度座標においても同様の傾向を示すものと考えられる。すなわち、色度図の上方では等色範囲が大きく、色度図の下方では等色範囲が小さいと考えられる。そのため、ある色（第１の色）と別の色（第２の色）とを比べたときに、２つの色度座標が、等色性が失われる関係になっていれば、色の判別が容易になる。本開示の検査用光源はこの点に着目している。
【００２７】
検査用光源からの照射光に照らされた対象物は、照射光の色に起因して色を生じる。その色が、目視により確認される。ここで、対象物は、対象物の本体となる本体部と、本体部とは異なることを識別したい識別部とを有し得る。例えば、対象物が樹脂成形物であり、検査の目的が樹脂成形物中の異物の発見である場合、本体部は樹脂成形物全体となり、識別部は異物となる。検査用光源から光が対象物に照射されたときに、本体部の色（第１の色）と識別部の色（第２の色）との違いが大きく感じられると、容易に色を判別することができ、識別部（異物）に対する識別性が向上する。等色範囲の小さい領域の光は、識別性の向上に有利である。
【００２８】
図３Ａでは、マクアダム楕円はＭＥと表示され、その後ろに番号が付与されている。マクアダム楕円はＭＥ００からＭＥ２４までの２５個である。マクアダム楕円の中心は、ＭＥの番号に対応し、それぞれ、Ｃ００〜Ｃ２４と番号が付与される。図６は、マクアダム楕円の中心を有する色度図である。この色度図からマクアダム楕円の中心の配置が理解される。Ｃ００〜Ｃ２４は色度座標を意味する。
【００２９】
表１は、図３Ａの番号付けに基づいたマクアダム楕円ＭＥの要素の数値を示している。表１では、各マクアダム楕円における、中心の色度座標（ｘ，ｙ）、長軸の半分の長さＲａ、短軸の半分の長さＲｂ、ｘ軸と長軸とがなす角度θ、面積が示されている。この面積は、マクアダムが提唱したオリジナルのマクアダム楕円を１０倍拡大した後のマクアダム楕円での面積である。つまり、この面積は、図３Ａで示されるマクアダム楕円のサイズに基づく。角度θの単位は度（ｄｅｇ）である。図３Ｂは、マクアダム楕円におけるＲａ、Ｒｂ及びθを示している。楕円の面積は、公式から、π×Ｒａ×Ｒｂである。πは円周率である。表における領域Ａ１からＡ３は、以下で説明する領域の番号に対応し、各領域を形成するマクアダム楕円の帰属を意味する。
【００３０】
【表１】
2015136848.tif 000003
【００３１】
本開示の検査用光源では、面状発光体１の照射光の色度は、１０倍拡大のマクアダム楕円を有するｘｙ色度図において、面積が５×１０−４より小さいマクアダム楕円の中心を結んで形成される領域内に含まれている。中心は直線で結ばれる。図１は、この色度の領域をＡ１で示している。領域Ａ１は、図１の斜線部分である。領域Ａ１では、等色範囲が比較的小さい。そのため、色の違いの判別が容易になる。
【００３２】
図１に示される領域Ａ１を、表１を参照しながら説明すると次のようになる。面積が５×１０−４より小さいマクアダム楕円は、ＭＥ００、ＭＥ０１、ＭＥ０２、ＭＥ１０、ＭＥ１１、ＭＥ１２、ＭＥ１６、ＭＥ１７、ＭＥ１９、ＭＥ２０、ＭＥ２１、ＭＥ２２、ＭＥ２３、の１３個である。これらの楕円の中心を直線で結ぶ。すると、領域Ａ１の内部を通る直線は無視されて、領域Ａ１の外縁が直線で形成される。領域Ａ１は、ＭＥ００、ＭＥ１０、ＭＥ１１、ＭＥ１２、ＭＥ１６、ＭＥ１７、ＭＥ２１、ＭＥ２３、ＭＥ０２、ＭＥ００のマクアダム楕円の各中心をこの順で結んだ直線により囲まれる範囲となる。図６から分かるように、領域Ａ１は、マクアダム楕円の中心の色度座標Ｃ００、Ｃ１０、Ｃ１１、Ｃ１２、Ｃ１６、Ｃ１７、Ｃ２１、Ｃ２３、Ｃ０２、Ｃ００をこの順で結んだ直線により囲まれた範囲といってもよい。ここで、表１から、例えば、色度座標Ｃ００は（０．１６０，０．０５７）と表すことができ、色度座標Ｃ２１は（０．４４１，０．１９８）と表すことができる。他の色度座標についても同様に表すことができる。よって、領域Ａ１は、これらの色度座標の数値による表現も可能である。以下においても、マクアダム楕円の中心が結ばれて形成される領域は、この説明と同様の規定の仕方が適用される。
【００３３】
面状発光体からの照射光の色度が領域Ａ１内であると、照射光の色度が領域Ａ１外のときよりも、対象物の本体部の色（第１の色）と識別部の色（第２の色）との色の違いが明瞭になる。領域Ａ１は等色範囲が小さいからである。そのため、目視による検査が容易になり、検査性が向上する。また、明暗では異物などが分かりにくい対象物であっても、色の違いを利用することで検査が容易になる。また、反射光のスペクトルの違いが色になって表れるため、検査精度が向上する。また、従来の検査で用いられている白色光や単色光の光源に比べて、色の違いが明瞭になる。なお、色度図においては、領域Ａ１よりも等色範囲が狭い色度座標が存在するかもしれないが、領域Ａ１は、面状発光体１の照射光の色度がその領域内に配置されやすいという利点がある。そのため、照射光の色度の範囲として、領域Ａ１が選択されることが有効である。
【００３４】
領域Ａ１は、白色領域を含まなくてよい。図３Ａのマクアダム楕円から、白色領域は等色範囲が比較的大きいことが理解される。色度図における白色領域は、概略、マクアダム楕円ＭＥ１３の中心（色度座標Ｃ１３）の左側付近を中心にして配置される。照射光の色度が等色範囲の大きいところに位置すると、反射光に違いが生じたとしても、目視により判別しにくくなる。なお、マクアダム楕円ＭＥ１２の中心である色度座標Ｃ１２は白色領域の近くに配置されるが、色度座標Ｃ１２の光は人間の目で確認すると、白色とは感じにくい。この明細書では、色度座標Ｃ１２の光は白色でないと定義する。白色は色温度３０００Ｋ以上７０００Ｋ以下と定義する。白色は色温度が３５００Ｋ以上であることが好ましく、４０００Ｋ以上であることがより好ましく、４５００Ｋ以上であることがさらに好ましい。白色は色温度が６５００Ｋ以下であることが好ましく、６０００Ｋ以下であることがより好ましく、５５００Ｋ以下であることがさらに好ましい。
【００３５】
面状発光体１の発光は複色光であってよい。複色光は、異なる色の発光が複合することで作り出される。単色光を用いた検査では、色は変化しないため、輝度（明るさ）の変化を判別することになり、色の違いを利用した検査は通常できない。一方、複色光では、色の違いを利用した検査が可能になる。
【００３６】
ここで、有機発光層１３は、発光材料を少なくとも二つ有している。発光材料が一つの場合、面状発光体１が発する照射光の色度は、図３Ａの色度図における三角形状の色度範囲の外縁（波長の目盛が記入された位置の近傍）に配置されやすい。そのため、単一の発光材料では、照射光の色度が、図１の領域Ａ１内に入りにくくなり、色の識別性が低下するおそれがある。しかしながら、発光材料が複数になると、照射光は複数の発光材料から生じる色が混合して全体の色が作り出され、照射光の色度は、色度図のより中央部分の下側にある領域Ａ１に配置されやすくなる。そのため、複数の発光材料の使用によって、目視判別性が向上する。発光材料が一つの場合、照射光は単色光となる。発光材料が二つ以上の場合、照射光は複色光となる。
【００３７】
複数の発光材料の少なくとも一つは、青色発光材料であることが好ましい。青色発光材料が用いられると、照射光の色度が色度図の左下方に位置しやすくなる（図３Ａ参照）。そのため、照射光の色度は領域Ａ１に入りやすくなる。また、色度図の左下方はマクアダム楕円の大きさが小さいことから分かるように、等色範囲が比較的小さい。そのため、検査用光源による目視判別性がさらに向上する。青色発光材料は、４００ｎｍより大きく４９５ｎｍより小さい範囲に発光波長のピークが存在し得る。
【００３８】
青色発光材料の発光波長のピークは、４９０ｎｍより小さいことが好ましく、４８０ｎｍより小さいことがより好ましく、４７０ｎｍより小さいことがさらに好ましく、４６０ｎｍより小さいことがよりさらに好ましい。青色発光材料がより短い波長を有することで、面状発光体１の照射光の色度が領域Ａ１に配置されやすくなる。
【００３９】
複数の発光材料は、赤色発光材料を含んでいてもよい。赤色発光材料が用いられると、照射光の色度は色度図の右下方に向かう作用を受ける。色度図の下方は上方よりもマクアダム楕円の大きさが小さい（図３Ａ参照）。そのため、目視判別性が向上し得る。
【００４０】
複数の発光材料は青色発光材料と赤色発光材料とを有することが好ましい一態様である。色度図において、青色発光材料は左下に向かう作用を与え、赤色発光材料は右下に向かう作用を与える。すると、図３Ａに示されるように、照射光の色度は、色度図の中央の下側付近に位置しやすくなり、より領域Ａ１に入りやすくなる。複数の発光材料は、異なる種類の複数の青色発光材料を含んだり、異なる種類の複数の赤色発光材料を含んだりしてもよい。
【００４１】
複数の発光材料は、青及び赤以外の色の発光材料を含んでいてもよい。そのような発光材料として、緑色発光材料、黄色発光材料、橙色発光材料が例示される。ただし、これらの発光材料は、色度図の上方に向かう作用があり得る。照射光の色度を領域Ａ１内に収めるためには、青及び赤以外の発光材料の強度をより小さくすることが好ましい。複数の発光材料は、緑色発光材料、黄色発光材料及び橙色発光材料を含んでいなくてもよい。
【００４２】
複数の発光材料においては、それらの強度比を調整することにより、色度の調整が可能である。各発光材料の単色での発光波長と、それらの強度比により、色度図における照射光の色度座標が決まり得る。例えば、発光波長４６０ｎｍ程度の青色発光材料と、発光波長６００ｎｍ程度の赤色発光材料とを用いると、照射光の色度は色度図の外縁の「４６０」と「６００」とを結んだ直線上に配置され得るため、領域Ａ１に入りやすくなる。
【００４３】
発光材料は、発光材料含有層に配置される。複数の発光材料は、一つの発光材料含有層に全て配置されてもよいし、複数の発光材料含有層に分けられて配置されてもよい。一つの発光材料含有層が一つの発光材料を有することが好ましい一態様である。図２Ｂでは、２つの発光材料含有層が存在する例を示しており、これら２つの発光材料含有層がそれぞれ異なる発光材料を有することができる。例えば、複数の発光材料含有層は、第１発光材料含有層３２が青色発光材料を含有し、第２発光材料含有層３３が赤色発光材料を含有する構造であってよい。異なる発光材料が、それぞれの発光材料含有層に配置されることで、照射光の色度が領域Ａ１に入りやすくなる。
【００４４】
図４は、領域Ａ２を示している。照射光の色度の領域を形成するマクアダム楕円においては、マクアダム楕円の長軸とｘｙ色度図のｘ軸との間の角度θは、０度より大きく９０度より小さいことが好ましい一態様である。領域Ａ２は、この態様の色度の範囲を示している。この態様では、色の違いがより明瞭になり得る。対象物の検査においては、マクアダム楕円の短軸の方向に色の差が生じると、色の違いがより感じやすい。マクアダム楕円の短軸に沿った方向では等色範囲が狭いためである。図３Ｂから分かるように、この態様では、マクアダム楕円は左下方から右上方に延伸する形状になる。ここで、角度θが０度より大きく９０度より小さい範囲では、緑の強弱の感度が高くなる。緑は視感度が高いため、緑の強弱は人間に敏感に感じ取られる。そのため、色の判断がより容易になりやすい。また、検査の対象物が緑を有する場合に、特に目視判別性が向上し得る。ここで、角度θが０度より大きく４５度より小さい範囲では、緑と赤との領域における色の差に敏感になる。楕円の短軸がｙ軸に沿った方向に近くなるからである。また、角度θが４５度より大きく９０度より小さい範囲では、青と緑との領域における色の差に敏感になる。楕円の短軸がｘ軸に沿った方向に近くなるからである。結果的に、角度θが０度より大きく９０度より小さい範囲において検査性が向上する。
【００４５】
図４の領域Ａ２は、領域Ａ１を構成するマクアダム楕円のうち、楕円の長軸とｘ軸との間の角度θが０度より大きく９０度より小さいマクアダム楕円の各中心を結んで形成される。領域の形成の方法は、領域Ａ１と同様である。表１から、角度θが０度より大きく９０度より小さいマクアダム楕円は、ＭＥ００、ＭＥ０１、ＭＥ０２、ＭＥ１１、ＭＥ１２、ＭＥ１６、ＭＥ１７、ＭＥ１９、ＭＥ２０、ＭＥ２１、ＭＥ２２、ＭＥ２３、である。これらのマクアダム楕円から、領域Ａ２が導かれる。
【００４６】
図５は、領域Ａ３を示している。照射光の色度の領域を形成するマクアダム楕円においては、マクアダム楕円の長軸とｘｙ色度図のｘ軸との間の角度θは、７０度より大きく１２０度より小さいことが好ましい一態様である。領域Ａ３は、この態様の色度の範囲を示している。この態様では、色の違いがより明瞭になり得る。図３Ｂから分かるように、この態様では、マクアダム楕円は下方から上方に延伸する形状になる。ここで、角度θが７０度より大きく１２０度より小さい範囲では、赤と青の強弱の感度が高くなる。楕円の短軸がｘ軸に沿った方向に近くなるからである。対象物の色によっては、赤が判別しにくかったり、青が判別しにくかったりするが、そのような場合に、色の判断がより容易になりやすい。また、検査対象物が青及び赤の一方又は両方を有する場合に、特に目視判別性が向上し得る。
【００４７】
図５の領域Ａ３は、領域Ａ１を構成するマクアダム楕円のうち、楕円の長軸とｘ軸との間の角度θが７０度より大きく１２０度より小さいマクアダム楕円の各中心を結んで形成される。領域の形成の方法は、領域Ａ１と同様である。表１から、角度θが７０度より大きく１２０度より小さいマクアダム楕円は、ＭＥ０１、ＭＥ１０、ＭＥ１１、である。これらのマクアダム楕円から、領域Ａ３が導かれる。
【００４８】
図６は、色度図におけるマクアダム楕円の中心Ｃの配置を示している。図３の色度図から、マクアダム楕円の中心だけ抜き出すことで、図６の配置図が導かれる。以下では、説明を簡略化するため、この色度図を基本として説明を行う。
【００４９】
表２は、マクアダム楕円及びその中心の番号と、以下で説明される領域Ａ４〜Ａ１４との関係を示している。マクアダム楕円は領域Ａ１を構成するものが抜粋されている。この表により、各領域とマクアダム楕円との関係が容易に理解されるだろう。
【００５０】
【表２】
2015136848.tif 000004
【００５１】
図７は、色度図における面状発光体の照射光の色度範囲の各一例である。図７は、図７Ａ〜図７Ｆから構成される。図７Ａ〜図７Ｆでは、照射光の色度範囲の好ましい態様が示されている。これらの色度範囲は、いずれも領域Ａ１内に存在する。
【００５２】
図７Ａは、領域Ａ４を示している。領域Ａ４は、面積が４．５×１０−４より小さいマクアダム楕円の中心を結んで形成される。図７Ｂは、領域Ａ５を示している。領域Ａ５は、面積が４．４×１０−４より小さいマクアダム楕円の中心を結んで形成される。図７Ｃは、領域Ａ６を示している。領域Ａ６は、面積が４．２×１０−４より小さいマクアダム楕円の中心を結んで形成される。図７Ｄは、領域Ａ７を示している。領域Ａ７は、面積が４×１０−４より小さいマクアダム楕円の中心を結んで形成される。図７Ｅは、領域Ａ８を示している。領域Ａ８は、面積が３．８×１０−４より小さいマクアダム楕円の中心を結んで形成される。図７Ｆは、領域Ａ９を示している。領域Ａ９は、面積が３．１×１０−４より小さいマクアダム楕円の中心を結んで形成される。マクアダム楕円の面積が小さるなるほど、等色範囲は小さくなる傾向になり、検査性が向上し得る。そのため、面状発光体１の照射光の色度が入る領域は、領域Ａ４、Ａ５、Ａ６、Ａ７、Ａ８、Ａ９の順に、より好ましくなっていく。
【００５３】
図８は、色度図における面状発光体の照射光の色度範囲の各一例である。図８は、図８Ａ〜図８Ｅから構成される。図８Ａ〜図８Ｅでは、照射光の色度範囲の好ましい態様が示されている。これらの色度範囲は、いずれも領域Ａ１内に存在する。
【００５４】
図８Ａは、領域Ａ１０を示している。領域Ａ１０は、領域Ａ１を形成するマクアダム楕円のうち、楕円の長軸とｘｙ色度図のｘ軸との間の角度θが０度より大きく４５度より小さいマクアダム楕円の中心を結んで形成される。角度θが０度から４５度の範囲では、緑と赤との領域における色の差に敏感になる。そのため、領域Ａ１０は、対象物からの反射光が緑から赤の領域になる場合に有効である。
【００５５】
図８Ｂは、領域Ａ１１を示している。領域Ａ１１は、領域Ａ１を形成するマクアダム楕円のうち、楕円の長軸とｘｙ色度図のｘ軸との間の角度θが４５度より大きく９０度より小さいマクアダム楕円の中心を結んで形成される。角度θが４５度から９０度の範囲では、青と緑との領域における色の差に敏感になる。そのため、領域Ａ１１は、対象物からの反射光が青から緑の領域になる場合に有効である。
【００５６】
図８Ｃは、領域Ａ１２を示している。領域Ａ１２は、領域Ａ１を形成するマクアダム楕円のうち、楕円の長軸とｘｙ色度図のｘ軸との間の角度θが４５度より大きく９０度より小さく、かつ、面積が４×１０−４より小さいマクアダム楕円の中心を結んで形成される。領域Ａ１２は、図７Ｄの領域Ａ７の条件と、図８Ｂの領域Ａ１１との条件を同時に満たしている。このように、照射光の色度範囲は、マクアダム楕円の角度θと面積との両方が考慮されて好適化されてもよい。それにより、検査性が向上し得る。
【００５７】
図８Ｄは、領域Ａ１３を示している。領域Ａ１３は、図７Ｄの領域Ａ７を好適化したものである。検査用光源では、面状発光体の照射光が白色領域から遠くなることが好ましい一態様である。白色発光の有機ＥＬ素子の場合、照射光の色度は、色度図において、概略、色度座標Ｃ１３を中央にして、色度座標Ｃ１２の右側付近から色度座標Ｃ１４の左側付近まで円弧状に伸びる領域内になり得る。ここで、面状発光体の照射光の色度が色度座標Ｃ１２に近くなると、面状発光体の照射光が白色に近くなりやすくなる。そのため、色度座標Ｃ１２の付近を含まない方が好ましい。この考えにより、領域Ａ７を形成するマクアダム楕円のうち、色度座標Ｃ１２を中心とするマクアダム楕円ＭＥ１２を除いた領域Ａ１３が導かれる。
【００５８】
図８Ｅは、領域Ａ１４を示している。領域Ａ１４は、領域Ａ１を形成するマクアダム楕円のうち、面積が１×１０−４より大きいマクアダム楕円の中心を結んで形成される。マクアダム楕円の面積は小さいほどよい。そのため、マクアダム楕円の面積の下限は設定されなくてよい。ただし、マクアダム楕円の面積の下限が設定されてもよい。図８Ｅの領域Ａ１４は、マクアダム楕円の面積の下限を設定した一例を示している。
【００５９】
図９は、検査用光源１０を用いた検査の各一例を示している。図９は図９Ａ及び図９Ｂから構成される。白抜き矢印は、検査用光源１０から生じる光を示している。図９では、検査用光源１０から面状発光体１を抜き出して表示し、その他の部材を省略している。検査用光源１０から出射する光は、検査対象物９に照射される。面状発光体１は、前面１ａ及び後面１ｂを有する。前面１ａは、検査対象物９に向かって光を出射する面であり、発光面となる。後面１ｂは、前面１ａとは反対側の面であり、背面となる。
【００６０】
図９Ａでは、検査用光源１０は平板状の面状発光体１を有している。図９Ａの面状発光体１は曲面を有していない。平板状の面状発光体１は、検査対象物９の表面が平面である場合に好適である。一方、図９Ｂでは、検査用光源１０は曲部を有する面状発光体１を備えている。図９Ｂの面状発光体１の発光面は曲面を有している。面状発光体１は、図９Ｂのように、発光面が曲面を含むことが好ましい一態様である。発光面が曲面を含む面状発光体１は、検査対象物９が曲面を有する場合に好適である。この場合、検査対象物９に対してより均一に光が照射される。また、発光面が曲面であると、検査対象物９に向かう照射光の量がより多くなる。そのため、色の判別性が向上する。面状発光体１は円弧状に曲がっていてよい。面状発光体１は弓型に曲がっていてよい。曲部の有無に限らず、面状発光体１からの光はより均一であることが好ましく、面内において色がより均一で、輝度がより均一であることが好ましい。また、面状発光体１は照射光の角度依存性が少ない方が好ましい。角度依存性とは、見る角度によって色が異なって見えることを意味する。
【００６１】
曲部を有する面状発光体１は、曲がっている状態を恒久的に維持してもよいし、曲がっている状態と曲がっていない状態（平坦な状態）との変形が可能であってもよい。恒久的な曲部を有する面状発光体１は、それ以上曲がらなくてよい。この場合、面状発光体１の強度が高まる。一方、曲部の有無の変形が可能な面状発光体１は、検査の状態に合わせて、曲部の有無を切り替えることができるため、検査性が向上する。変形可能な曲部を有する面状発光体１では、検査時において曲がった状態が維持され得る。変形可能な曲部を有する面状発光体１は、曲がり度合いが変化可能であることが好ましい。それにより、検査性がさらに向上する。例えば、円弧状に曲がる面状発光体１では曲率半径が変化することで、曲がり度合いが変化可能になる。この場合、面状発光体１は、検査時においてそれぞれの曲がり度合いにおいて曲がった状態が維持され得る。なお、変形可能な曲部を有する面状発光体１は、平坦な状態に変形せずに、曲がった状態の範囲内で曲がり度合いが変化可能であってもよい。
【００６２】
面状発光体１が曲部を有する場合、面状発光体１の基板（図２Ｂの基板１１）はフレキシブル基板であることが好ましい。フレキシブル基板は、発光面を容易に曲面にすることができる。フレキシブル基板は、曲がり性を有し、曲がり度合いが変化可能な基板である。フレキシブル基板は平坦にもなり得る。フレキシブル基板は、平坦な状態のフレキシブル基板の上に電極及び有機発光層が形成され得る。また、面状発光体１の封止材（図２Ｂの封止材１５）は、フレキシブル性を有することが好ましい。例えば、封止材が基板で構成される場合、封止材はフレキシブル基板であることが好ましい。フレキシブル基板（支持基板）と他のフレキシブル基板（封止材）とを接合し、有機発光層を封止した後、これらは曲げられ得る。面状発光体１の各層は、面状発光体１が曲げられたときに壊れないように構成されることが好ましい。
【００６３】
検査用光源１０は、曲部を有する面状発光体１を有する場合、面状発光体１の曲部を維持する曲部保持材を有することが好ましい。面状発光体１の曲部が保持されることで、安定な検査が可能になる。図９Ｂでは、面状発光体１の両端部を挟み込んで面状発光体１をしならせ、その状態で保持する曲部保持材８が例示されている。曲部保持材８は面状発光体１の曲がり度合いが変化可能なように構成されてもよい。曲部保持材はこの態様に限定されない。例えば、曲部保持材は、面状発光体１の表面に配置された曲部を有する部材で構成されてもよい。この場合も、曲部保持材は曲がり度合いが変化可能であることが好ましい。
【００６４】
図９では、検査対象物９を見る方向を破線矢印ＨＥ１及びＨＥ２で示している。光が照射された検査対象物９は、人間の目によって確認される。面状発光体１が光透過性を有さない場合、検査対象物９は面状発光体１の後面１ｂからは確認できない。そのため、矢印ＨＥ１の方向など、面状発光体１を通さない方向から、検査対象物９を目視確認することになる。
【００６５】
ここで、面状発光体１は、基板の表面に垂直な方向（図９の矢印ＨＥ２と同じ方向）において光透過性を有することが好ましい一態様である。その場合、面状発光体１の後面１ｂ側から検査対象物９を確認することが可能になる。光透過性は透明及び半透明を含む。面状発光体１は好ましくは透明である。面状発光体１の光透過性は、第１電極１２と有機発光層１３と第２電極１４とが厚み方向に存在する範囲で発揮すればよい。面状発光体１の端部は光透過性を有していなくてよい。面状発光体１は、好ましくは発光が生じる範囲を含む範囲で光透過性を有する。図９の矢印ＨＥ１に示すように、面状発光体１を避けて検査対象物９を確認する場合、検査対象物９を斜め方向から確認したり、あるいは、面状発光体１の光を斜め方向から検査対象物９に照射したりすることが求められる。そのため、検査対象物９に向かう方向の光と正反対の方向で反射する光を視認することは難しい。また、検査対象物９で反射した光は、角度依存性を有する場合がある。その場合、見る角度によって色の違いが判別しにくくなるおそれがある。検査対象物９が視認されやすいように検査対象物９と面状発光体１との距離を大きくすることも考えられるが、その場合、検査対象物９に当たる光量が減って感度が低下するおそれがある。
【００６６】
一方、面状発光体１が光透過性を有すると、検査対象物９において反射した光は、面状発光体１を通過して面状発光体１の後方に進行する。そのため、矢印ＨＥ２の方向から、検査対象物９を目視で確認することが可能である。その結果、検査対象物９を視認しやすくなり、検査が容易になる。また、反射光の角度依存性を低減できるため、目視判別性が向上する。また、検査対象物９を矢印ＨＥ２の方向から確認する場合、検査対象物９において正反対の方向に反射された光を直接確認することができるため、検査の感度が向上しやすくなる。また、面状発光体１は検査対象物９の近くに容易に配置され得るため、検査対象物９の至近距離からの検査が可能になる。さらに、検査対象物９と面状発光体１とが接触した状態での検査も可能となるため、検査精度がより向上する。至近距離からの検査が可能になると、より少ない光量の光源で検査することが可能になる。そのため、エネルギーの効率の向上（省エネ化）が図れる。
【００６７】
面状発光体１が光透過性を有する場合、面状発光体１の光は前面１ａだけではなく、後面１ｂからも照射され得る。透明な面状発光体１は両面光出射構造を有し得る。このとき、面状発光体１における検査対象物９の方向への照射光は、検査対象物９とは反対方向への光よりも強いことが好ましい。前面１ａからの光が、後面１ｂからの光よりも強い、といってもよい。両面光出射構造では、一方の面と他方の面とで光の強さが異なる場合がある。その際、検査対象物９に向かう光である前面１ａからの照射光の強さが、反対方向に向かう後面１ｂからの光よりも強くなることで、検査対象物９に多くの光をより照射することができる。また、後面１ｂからの光が前面１ａからの光よりも弱くなると、面状発光体１から直接後方に向かう光が検査の邪魔になりにくくなり、面状発光体１の後方からの検査対象物９の視認性が向上する。そのため、検査の精度が高まる。
【００６８】
図１０は検査用光源を用いた検査の各一例を示す説明図である。図１０は図１０Ａ、図１０Ｂ及び図１０Ｃから構成される。図１０に示すように、検査用光源１０は、面状発光体１とは異なる色度の照射光を有する追加発光体５を備えることが好ましい一態様である。追加発光体５は、面状発光体１に追加して設けられる発光体である。追加発光体５は、面状発光体１とは独立して駆動可能なように構成され得る。検査用光源１０が追加発光体５を有すると、検査対象物９に照射される光が変化し得る。そのため、異なる色度の光で検査を行うことができ、検査性が向上する。図１０では、追加発光体５の照射光は破線白抜き矢印で示されている。図１０では、曲部を有する面状発光体１が図示されているが、曲部を有さない面状発光体１においても、追加発光体５の設置は可能である。
【００６９】
図１０Ａは、追加発光体５と面状発光体１とが並列して配置された例である。この例では、面状発光体１と追加発光体５との両方の照射光が直接検査対象物９に到達する。そのため、照射光の色度が安定し、照射光の全体の強度も高まるため、検査性が向上し得る。図１０Ａ及び図１０Ｂでは、追加発光体５はランプで構成されている。ランプは単色であることが好ましい。
【００７０】
図１０Ｂは、追加発光体５と面状発光体１とが直列で配置された例である。追加発光体５は面状発光体１の後方に配置されている。面状発光体１は光透過性を有している。この例では、追加発光体５の照射光は面状発光体１を通過して検査対象物９に到達する。この例では、面状発光体１の発光面をより大きくできるため、検査性が向上し得る。
【００７１】
図１０Ｃは、追加発光体５が追加面状発光体５Ａで構成された例である。追加面状発光体５Ａは、有機ＥＬ素子を有したり、点光源のＬＥＤが面状化された構造を有したりしてもよい。追加面状発光体５Ａは有機ＥＬ素子を有することが好ましい。それにより、発光効率が高く発光の均一性の優れた面状の追加発光体５が得られる。点光源のＬＥＤよりも有機ＥＬ素子が好ましい理由は上述したのと同様である。追加面状発光体５Ａは、照射光の色度が異なる以外は、面状発光体１と同様の構成になり得る。ただし、追加面状発光体５Ａは、一つの発光材料を含むものであってもよい。追加面状発光体５Ａは、単色光を有するものであってもよい。図１０Ｃでは、面状発光体１と追加面状発光体５Ａとが並列して配置された例を示しているが、これらは直列（前後の方向）で配置されてもよい。
【００７２】
図１０のように、検査用光源１０が追加発光体５を有する場合、追加発光体５の照射光の強度を変化させる光強度可変部６を備えることが好ましい。追加発光体５の光の強度が可変であると、検査性が向上する。
【００７３】
光強度可変部６による追加発光体５の強度変化の一例として、発光の有無が挙げられる。この態様では、検査用光源１０は、面状発光体１と追加発光体５との両方が発光する状態と、面状発光体１が発光し追加発光体５が発光しない状態とが、切り替え可能に構成される。検査用光源１０は、面状発光体１が発光せずに追加発光体５が発光する状態にさらに切り替え可能であってもよい。検査用光源１０は、面状発光体１と追加発光体５とに個別に給電が可能なように構成されていてもよい。検査用光源１０は、面状発光体１と追加発光体５の両方が発光しない状態を有し得る。
【００７４】
光強度可変部６は、追加発光体５が発光する範囲で光の強度を変化させることが好ましい。その場合、光強度可変部６により、強い光と弱い光とが追加発光体５から出射可能になる。それにより、複数の色度の照射光での検査が可能になり、検査性がさらに向上する。強度の変化は、段階的であってもよいし、連続的であってもよい。
【００７５】
図１０Ａ及び図１０Ｂでは、光強度可変部６は追加発光体５に電気的に接続されている。この光強度可変部６は、電流量の大小を制御可能な電流制御回路により構成され得る。光強度可変部６は、追加発光体５への電流量を大きくしたり小さくしたりすることで、追加発光体５の照射光の強度を変化させることができる。図１０Ｃでは、光強度可変部６は追加面状発光体５Ａと検査対象物９との間の距離を変化可能にするスライドにより構成されている。光強度可変部６は、追加発光体５を検査対象物９に近づけたり遠ざけたりすることで、追加発光体５の照射光の強度を変化させることができる。なお、光強度可変部６の構成は、図１０に示すものに限られない。光強度可変部６は例えば、光を遮ることで光強度を調節できる一又は複数のフィルタで構成されてもよい。また、検査用光源１０では、面状発光体１の光の強度が変化可能に構成されてもよい。要するに、面状発光体１と追加発光体５との光の強度比が変化可能になると、全体の照射光の色度が変化可能になるため、検査性が向上する。
【００７６】
追加発光体５の発光色は、赤色又は青色が好ましい。それにより、全体の照射光が領域Ａ１の中に入りやすくなり、検査性が向上する。面状発光体１と追加発光体５との二つの発光を合わせた照射光（検査用光源１０の照射光）の色度が、領域Ａ１内に入ることが好ましい。追加発光体５の照射光の色度は、領域Ａ１に入っていなくてもよいし、領域Ａ１に入っていてもよい。追加発光体５の照射光は、赤色単色光又は青色単色光であることが好ましい。検査用光源１０の照射光の色度は、追加発光体５の強度変化により、領域Ａ１内で変化することが好ましい。それにより、複数の色度で検査が可能になる。
【００７７】
なお、追加発光体５の発光色は、緑色、黄色、橙色から選ばれるものであってもよい。その場合、二つの発光体が発光する状態において、色度が領域Ａ１の外になり、面状発光体１のみが発光する状態において、色度が領域Ａ１内になるようにしてもよい。この態様では、二つの発光体が発光するときに、白色光の照射が可能になる。例えば、白色光で予備確認がなされ、面状発光体１のみの照射光で本検査がなされ得る。
【００７８】
検査対象物９では、複数種類の光反射スペクトルを有する場合がある。その場合に、追加発光体５を有する態様は好適である。また、この態様は、種類の異なる検査対象物９を検査するときも有効である。面状発光体１と追加発光体５の光の強度比が変化することにより、複数の色度での検査が可能になる。
【００７９】
図１１は検査用光源を用いた検査の一例を示す説明図である。図１１に示すように、検査用光源１０は、面状発光体１の照射光を集光可能なレンズ７を備えることが好ましい一態様である。その場合、レンズ７が照射光を検査対象物９の方向に集めるため、色の違いが明瞭になって目視判定が容易になり、検査性が向上する。また、面状発光体１の照射光を集めるため、より少ない光量で検査が可能となり、面状発光体１の小型化も可能になる。レンズ７は集光レンズで構成され得る。図１１は、平坦な面状発光体１とレンズ７とを有する例である。曲部を有する面状発光体１が用いられてももちろんよい。
【００８０】
図１２は、検査用光源を備えた検査器具の一例である。この例は、携帯型の検査器具２０である。この検査器具２０は片手で持ち運び可能である。そのため、検査器具２０は取り扱い性に優れる。検査器具２０は、検査用光源１０と、検査用光源１０を収納する筐体２１とを備えている。検査用光源１０は、面状発光体１と追加発光体５とを有する。検査器具２０は内部電源３Ａを有している。内部電源３Ａは検査用光源１０の一部となり得る。内部電源３Ａは筐体２１の内部に収められている。図１２では内部電源３Ａは破線で示されている。また、内部電源３Ａから延びる配線も破線で示されている。内部電源３Ａは、電池、二次電池、充電池などで構成され得る。内部電源３Ａは、給電回路により面状発光体１と電気的に接続されていてよい。この検査器具２０は発電部２２を備えている。発電部２２はソーラーパネル２２Ａを有する。発電部２２は太陽電池で構成されている。検査器具２０では、検査用光源１０を発光させるための電気を自己で発電可能である。そのため、環境への負荷を低減できる。発電部２２は自己発電可能なものであれば、特に限定されない。例えば、発電部２２は、振動により発電を行う振動発電素子を有していてもよい。検査器具２０では、上記のような検査用光源１０を備えているため、目視により色の判別が容易であり、検査性が向上する。また、検査器具２０は、携帯型のため、取り扱いが容易である。なお、検査器具の態様は、図１２に限定されないことは言うまでもない。
【００８１】
本開示の検査用光源１０では、種々の色検査が可能である。検査対象物９は、基板、樹脂成形物、フィルタ、金属、衣類、動物、植物、微生物、機械など多岐にわたる。検査用光源１０は、目視による色の差を明瞭にする。例えば、検査用光源１０は、基板の塵や埃や傷などの検査が可能である。検査用光源１０は、成形物（例えば樹脂成形物）の塵や埃や傷などの検査が可能である。また、検査用光源１０は、異物の検査だけではなく、色の違いを認識する検査にも適用可能である。例えば、人を含む動物の皮膚に光を照射すれば、色素や血管などが確認されやすくなる。また、金属中の異物、衣類や布の異物、などの検査も可能である。
【００８２】
［実施例］
（実施例１）
図２Ｂに示す層構成に基づいた面状発光体１を作製した。面状発光体１の概略を以下に説明する。基板１１及び封止材１５は厚み０．７ｍｍのガラス基板である。第１電極１２は厚み１５０ｎｍのＩＴＯの層である。有機発光層１３は、青色発光材料「ＥＭ２」（発光波長のピークは４９０ｎｍ）を含む厚み３０ｎｍの第１発光材料含有層３２を有する。有機発光層１３は、赤色発光材料「Ｉｒ（ｐｉｑ）２（ＡＣＡＣ）」（発光波長のピークは６２５ｎｍ）を含む厚み３０ｎｍの第２発光材料含有層３３を有する。有機発光層１３は緑色発光材料を含んでいない。第１発光材料含有層３２と第２発光材料含有層３３との間に、中間層とホール輸送層とを少なくとも含む電荷移動層がさらに配置されている。第１電荷移動層３１はホール輸送層を含有する。第２電荷移動層３４は電子輸送層を含有する。第２電極１４は厚み９０ｎｍのＡｌの層である。第１電極１２が陽極を構成し、第２電極１４が陰極を構成する。面状発光体１はマルチユニット構造の有機ＥＬ素子を有する。発光面は８０ｍｍ×８０ｍｍのサイズを有する。面状発光体１は直流電源により駆動可能である。
【００８３】
上記の面状発光体１と給電回路２と電源３とを用いて、図２Ａの態様に基づいた検査用光源１０を作製した。
【００８４】
直流電源から電気を供給し、輝度２０００ｃｄ／ｍ２で検査用光源を駆動させたときの照射光の色度を測定した。色度はＣＩＥ（ｘ，ｙ）で表される。実施例１の照射光の色度は、ＣＩＥ（ｘ，ｙ）＝（０．３５，０．３０）となり、領域Ａ１内である。この色度は、Ｃ１２とＣ１６とＣ１９とで囲まれた三角形内に存在する。
【００８５】
（実施例２）
青色発光材料を「ＴＢＰ」（発光波長のピークは４５０ｎｍ）にした。それ以外は、実施例１と同様とした。実施例２の照射光の色度は、ＣＩＥ（ｘ，ｙ）＝（０．２０，０．１１）となり、領域Ａ１内である。この色度は、Ｃ００とＣ０１とＣ０２とで囲まれた三角形内に存在する。
【００８６】
（実施例３）
実施例１において第２発光材料含有層３３中の赤色発光材料の濃度を１０分の１にした。これにより赤色発光の強度が抑制され、発光色が調整される。それ以外は、実施例１と同様にした。実施例３の照射光の色度は、ＣＩＥ（ｘ，ｙ）＝（０．１８，０．１９）となり、領域Ａ１内である。この色度は、Ｃ０１とＣ１０とＣ１１とで囲まれた三角形内に存在する。
【００８７】
（実施例４）
実施例１において、発光層の材料と厚みとを調整し、照射光の色度がＣ１６とＣ１７とＣ２１とで囲まれた三角形内に存在する検査用光源を得た。
【００８８】
（実施例５）
実施例１において、基板１１及び封止材１５として、ガラス基板の代わりに、封止用無機膜が設けられたＰＥＮフィルムを用いた。このＰＥＮフィルムはフレキシブル基板である。それ以外は、実施例１と同様にした。面状発光体１は曲がることが可能である。実施例５の照射光の色度は、ＣＩＥ（ｘ，ｙ）＝（０．３５，０．３０）となり、領域Ａ１内である。
【００８９】
（実施例６）
実施例１において、第２電極１４として、Ａｌの層の代わりに、厚み１００ｎｍのＩＴＯと、厚み１０ｎｍのＡｇと、厚み１００ｎｍのＩＴＯの複層体を用いた。この複層体は光透過性を有する。それ以外は、実施例１と同様にした。面状発光体１は光透過性を有する。実施例６の照射光の色度は、領域Ａ１内である。
【００９０】
（実施例７）
実施例１の面状発光体１を準備した。また、実施例１の面状発光体１において、第２発光材料含有層３３の発光材料として、赤色発光材料の代わりに青色発光材料「ＥＭ２」を用いた面状発光体を追加面状発光体５Ａとして準備した。追加面状発光体５Ａは、青色単色発光を有する。面状発光体１と追加面状発光体５Ａとを並列して配置し、検査用光源１０を形成した。面状発光体１と追加面状発光体５Ａとの両方が発光したときの照射光の色度は、領域Ａ１内である。検査用光源１０は、面状発光体１と追加面状発光体５Ａとが個別に電流制御され得るように構成されている。そのため、発光色の色度の調整が可能である。
【００９１】
（実施例８）
実施例１において、発光面のサイズを１ｍｍ×１ｍｍにし、発光面側のガラス基板の表面に集光レンズを配置した。それ以外は、実施例１と同様にした。実施例８の照射光の色度は、領域Ａ１内である。
【００９２】
（実施例９）
実施例１において、検査用光源１０にリチウムイオン電池を搭載した。検査用光源１０は、停電時（外部電源からの給電がストップしたとき）には、リチウムイオン電池からの給電に切り替わる。それ以外は、実施例１と同様にした。実施例９の照射光の色度は、領域Ａ１内である。
【００９３】
（実施例１０）
実施例９の検査用光源１０に、ソーラーパネルを取り付けて検査器具を形成した。この検査器具は自己発電により光の照射が可能である。
【００９４】
（比較例１）
実施例１の面状発光体１において、有機発光層１３が緑色発光材料を含むようにして、白色発光の面状発光体１を形成した。これを比較例１の光源とした。この光源の照射光の色度は領域Ａ１外である。
【００９５】
（比較例２）
ナトリウムランプを比較例２の光源とした。ナトリウムランプは、波長５９０ｎｍ付近の単色光を発する。ナトリウムランプの照射光の色度は領域Ａ１外である。
【００９６】
（比較例３）
蛍光灯を比較例３の光源とした。蛍光灯は白色の光を発する。蛍光灯の照射光の色度は領域Ａ１外である。
【００９７】
（上記実施例及び比較例の評価）
上記の実施例と比較例の各光源を使用して、樹脂成形物（検査対象物）中の異物の目視による検査を実施した。比較例では異物の発見がみられなかった樹脂成形物において、実施例では異物の発見が可能であった。この結果から、実施例１〜１０のように色度が領域Ａ１に入る照射光は、検査性を向上させることが理解される。また、実施例１では、色度が領域Ａ２内であり、緑の判別が特に容易であった。また、実施例２では、色度が領域Ａ２内、領域Ａ９内、かつ、領域Ａ１１内であり、青と緑の判別性に優れる上、色の判別が総合的に容易であった。また、実施例３では、色度が領域Ａ３内かつ領域Ａ９内であり、赤と青の判別性に優れる上、色の判別が総合的に容易であった。また、実施例４では、色度が領域Ａ２内かつ領域Ａ１０内であり、赤と緑の判別性に優れた。
【００９８】
（実施例１１〜２３、比較例４〜１５）
実施例１の面状発光体の発光層を変形（材料の置換、厚みの変更、発光層の数の追加）させることで、実施例１１〜２３及び比較例４〜１５の検査用光源を作製した。実施例１１〜２３及び比較例４〜１５は、マクアダム楕円の中心の色度座標の光を発する。
【００９９】
表３は、実施例１１〜２３及び比較例４〜１５における発光層の構成を示している。表３から、発光材料の種類や厚みなどの変化で、色度が調整されることが理解される。実施例１１〜２３及び比較例４〜１５において異物の検査をおこなったところ、実施例１１〜２３は検査性が高いことが確認された。
【０１００】
【表３】
2015136848.tif 000005
【０１０１】
表３に記載された発光材料は、次の発光波長のピークを有する。青色発光材料として、「ＴＢＰ」（４５０ｎｍ）、「ＥＭ２」（４９０ｎｍ）。赤色発光材料として、「Ｂｔｐ２Ｉｒ（ａｃａｃ）」（６１５ｎｍ）、「Ｐｑ２Ｉｒ（ａｃａｃ）」（５９０ｎｍ）、「Ｂｔ２Ｉｒ（ａｃａｃ）」（５８０ｎｍ）。緑色発光材料として「Ｉｒ（ｐｐｙ）３」（４９０ｎｍ）。なお、「ＥＭ２」と「Ｉｒ（ｐｐｙ）３」とは、発光波長のピークは同じであるが、スペクトルの波形が異なるため、発光色が異なる。
【図１】
2015136848.tif 000006
【図２】
2015136848.tif 000007
【図３】
2015136848.tif 000008
【図４】
2015136848.tif 000009
【図５】
2015136848.tif 000010
【図６】
2015136848.tif 000011
【図７】
2015136848.tif 000012
【図８】
2015136848.tif 000013
【図９】
2015136848.tif 000014
【図１０】
2015136848.tif 000015
【図１１】
2015136848.tif 000016
【図１２】
2015136848.tif 000017
【手続補正書】
【提出日】平成27年7月7日(2015.7.7)
【手続補正１】
【補正対象書類名】特許請求の範囲
【補正対象項目名】全文
【補正方法】変更
【補正の内容】
【特許請求の範囲】
【請求項１】
基板と、第１電極と、前記第１電極と対をなす第２電極と、前記第１電極と前記第２電極との間に配置された有機発光層と、を有する面状発光体を備え、
前記有機発光層は、複数の発光材料を有し、
前記面状発光体の照射光の色度は、１０倍拡大のマクアダム楕円を有するｘｙ色度図において、面積が５×１０−４より小さいマクアダム楕円の中心を結んで形成される領域内に含まれ、
目視検査用である、検査用光源。
【請求項２】
前記複数の発光材料の少なくとも一つは、青色発光材料である、請求項１に記載の検査用光源。
【請求項３】
前記領域を形成する前記マクアダム楕円の長軸と前記ｘｙ色度図のｘ軸との間の角度は、０度より大きく９０度より小さい、請求項１又は２に記載の検査用光源。
【請求項４】
前記領域を形成する前記マクアダム楕円の長軸と前記ｘｙ色度図のｘ軸との間の角度は、７０度より大きく１２０度より小さい、請求項１又は２に記載の検査用光源。
【請求項５】
前記面状発光体の発光面は曲面を含む、請求項１〜４のいずれか１項に記載の検査用光源。
【請求項６】
前記基板はフレキシブル基板である、請求項５に記載の検査用光源。
【請求項７】
前記面状発光体は、前記基板の表面に垂直な方向において光透過性を有し、
前記面状発光体における検査対象物の方向への前記照射光は、前記検査対象物とは反対方向への光よりも強い、請求項１〜６のいずれか１項に記載の検査用光源。
【請求項８】
前記面状発光体とは異なる色度の照射光を有する追加発光体と、
前記追加発光体の前記照射光の強度を変化させる光強度可変部と、を備える、請求項１〜７のいずれか１項に記載の検査用光源。
【請求項９】
前記面状発光体の前記照射光を集光可能なレンズを備える、請求項１〜８のいずれか１項に記載の検査用光源。
【請求項１０】
前記面状発光体に電気的に接続された給電回路と、
前記給電回路を通して前記面状発光体に電気を供給する内部電源と、を備える、請求項１〜９のいずれか１項に記載の検査用光源。
【請求項１１】
請求項１〜１０のいずれか１項に記載の検査用光源と、筐体とを備えた検査器具。
【国際調査報告】
2015136848.tif 000018
2015136848.tif 000019
2015136848.tif 000020
2015136848.tif 000021